(57)【要約】【課題】バッテリ端子が回転することを抑制する。【解決手段】本明細書によって開示される技術は、バッテリ本体Ｂに設けられたバッテリポストＰに接続固定されるバッテリ端子１０であって、バッテリポストＰが内部に嵌合されるポスト嵌合部２７を有する端子本体２０と、ポスト嵌合部２７の端部に連設された左右一対の被押圧部２８と、左右一対の被押圧部２８に上方から組み付けられ、締結ボルト６０を回転させて締結ナット６５に対して締め込むことで一対の被押圧部２８を両側から押圧し、ポスト嵌合部２７をバッテリポストＰに対して密着させるブラケット５０と、ブラケット５０において端子本体２０よりも前方に突出して設けられ、締結ナット６５に対して締結ボルト６０を締め込む際に、バッテリ本体Ｂの壁部Ｂ１に当接し、ブラケット５０および端子本体２０が回転することを防ぐ回転防止部５５とを備えるところに特徴を有する。【選択図】図９
2015230893.tif 000002
【特許請求の範囲】
【請求項１】
バッテリ本体に設けられたバッテリポストに接続固定されるバッテリ端子であって、
前記バッテリポストが内部に嵌合されるポスト嵌合部を有する端子本体と、
前記ポスト嵌合部の端部に連設され、隙間を隔てて対向する一対の被押圧部と、
前記一対の被押圧部に組み付けられ、締結部材を被締結部材に回転させて締め込むことで前記隙間を小さくする方向に前記一対の被押圧部を両側から押圧し、前記ポスト嵌合部を前記バッテリポストに対して密着させる締付部材と、
前記締付部材において前記バッテリ本体の壁部に近接して配されるように前記端子本体よりも突出して設けられ、前記被締結部材に前記締結部材を締め込む際に、前記壁部に当接し、前記締付部材が回転することを防ぐ回転防止部とを備えるバッテリ端子。
【請求項２】
前記締付部材は、前記締結部材および前記被締結部材によって前記一対の被押圧部と共に挟持される基部と、前記基部の両側縁設けられ前記一対の被押圧部を両側から押圧する一対の押圧部とを有しており、
前記基部には、前記端子本体に当接することで前記締付部材が前記バッテリ本体とは反対側に位置ずれすることを防ぐ位置ずれ防止部が設けられている請求項１に記載のバッテリ端子。
【請求項３】
前記位置ずれ防止部は、前記基部における前記バッテリ本体側の一方の端部と、前記バッテリ本体とは反対側の他方の端部との複数箇所に設けられている請求項２に記載のバッテリ端子。
【請求項４】
前記締付部材は、前記端子本体よりも剛性が高く設定されている請求項１から請求項３の何れか一項に記載のバッテリ端子。
【発明の詳細な説明】
【技術分野】
【０００１】
本明細書によって開示される技術は、バッテリ端子に関する。
【背景技術】
【０００２】
例えば、車両などに搭載されるバッテリに設けられたバッテリポストに接続固定されるバッテリ端子として、特開２００２−１８４３８９号公報（下記特許文献１）が知られている。このバッテリ端子は、バッテリポストを挟持可能なターミナル本体と、ターミナル本体の端部に隙間を隔てて設けられた左右一対の締付片を両側から押圧してターミナル本体をバッテリポストに密着させるブラケットと、ブラケットをターミナル本体に締め付けるためのボルトおよびナットとを備えて構成されている。
【０００３】
ブラケットは、平板状の中央片の両側縁に立ち上がり形成された一対の側片を有する形態とされており、各側片には上方に向かうほど互いに離れる方向に傾斜する一対のテーパ面が左右方向に対向して形成されている。
ブラケットをターミナル本体に締め付ける際には、ブラケットの一対のテーパ面間に一対の締付片を配し、ボルトにナットを締め付けることで、ブラケットの中央片と一対の締付片とを上下からボルトとナットで挟み付ける。中央片と一対の締付片とがボルトとナットによって上下から挟み付けられると、一対のテーパ面によって一対の締付片が両側から押圧され、ターミナル本体がバッテリポストに密着することで、バッテリポストに対してバッテリ端子が接続固定される。
【先行技術文献】
【特許文献】
【０００４】
【特許文献１】特開２００２−１８４３８９号公報
【発明の概要】
【発明が解決しようとする課題】
【０００５】
ところで、上記の構成によると、ボルトにナットを締め付ける際に、ナットの回転に伴って、バッテリポストを中心にターミナル端子が回転する方向への力が生じる。このため、バッテリポストにターミナル本体が密着するまでは、ターミナル本体がナットの締め付けにつられて回転してしまう虞があり、ターミナル本体が回転すると、ターミナル本体に接続される電線の引出方向にばらつきが生じてしまう。
【０００６】
本明細書では、バッテリ端子が回転することを抑制する技術を開示する。
【課題を解決するための手段】
【０００７】
本明細書によって開示される技術は、バッテリ本体に設けられたバッテリポストに接続固定されるバッテリ端子であって、前記バッテリポストが内部に嵌合されるポスト嵌合部を有する端子本体と、前記ポスト嵌合部の端部に連設され、隙間を隔てて対向する一対の被押圧部と、前記一対の被押圧部に組み付けられ、締結部材を被締結部材に回転させて締め込むことで前記隙間を小さくする方向に前記一対の被押圧部を両側から押圧し、前記ポスト嵌合部を前記バッテリポストに対して密着させる締付部材と、前記締付部材において前記バッテリ本体の壁部に近接して配されるように前記端子本体よりも突出して設けられ、前記被締結部材に前記締結部材を締め込む際に、前記壁部に当接し、前記締付部材が回転することを防ぐ回転防止部とを備えるところに特徴を有する。
このような構成によると、締結部材を被締結部材に回転させて締め込む際に、回転防止部がバッテリ本体に当接することで、締付部材、ひいては締付部材が組み付けられた端子本体が締結部材の回転に伴って回転することを防ぐことができる。また、上記の構成によると、バッテリポストに嵌合される端子本体とは別体の締付部材に回転防止部が設けられているから、バッテリポストに接続される端子本体の意図しない変形による破損を防ぐことができる。
【０００８】
本明細書によって開示される技術の態様として、以下の構成が好ましい。
前記締付部材は、前記締結部材および前記被締結部材によって前記一対の被押圧部と共に挟持される基部と、前記基部の両側縁設けられ前記一対の被押圧部を両側から押圧する一対の押圧部とを有しており、前記基部には、前記端子本体に当接することで前記締付部材が前記バッテリ本体とは反対側に位置ずれすることを防ぐ位置ずれ防止部が設けられている構成としてもよい。
このような構成によると、回転防止部がバッテリ本体に当接した際に、端子本体に対して締結部材がバッテリ本体とは反対側に位置ずれすることを防ぎ、締付部材および端子本体が回転することをより確実に防ぐことができる。
【０００９】
前記位置ずれ防止部は、前記基部における前記バッテリ本体側の一方の端部と、前記バッテリ本体とは反対側の他方の端部との複数箇所に設けられている構成としてもよい。
このような構成によると、基部における一方の端部と他方の端部との複数箇所に位置ずれ防止部が設けられているから、締付部材がバッテリ本体とは反対側に位置ずれすることを防ぐことを確実に防ぐことができる。
【００１０】
前記締付部材は、前記端子本体よりも剛性が高く設定されている構成としてもよい。
このような構成によると、バッテリ本体の壁部に当接する回転防止部および回転防止部が設けられたブラケット自体の強度が高くなり、ブラケットが破損することを防ぐことができる。
【発明の効果】
【００１１】
本明細書によって開示される技術によれば、バッテリ端子が回転することを抑制することができる。
【図面の簡単な説明】
【００１２】
【図１】実施形態１に係るバッテリ端子の斜視図
【図２】同正面図
【図３】同平面図
【図４】同側面図
【図５】バッテリ本体のバッテリポストにバッテリ端子を組み付けた状態を示す平面図
【図６】同側面断面図
【図７】図４のＡ−Ａ線断面図
【図８】ブラケットによって一対の被押圧部が内側に押圧された状態であって、図４のＡ−Ａ線の断面に相当する断面図
【図９】回転防止部がバッテリ本体に当接してバッテリ端子が回り止めされた状態を示す平面図
【図１０】端子本体の斜視図
【図１１】同平面図
【図１２】ブラケットの斜視図
【図１３】同正面図
【図１４】同平面図
【図１５】同側面図
【図１６】実施形態２に係るブラケットの斜視図
【図１７】同平面図
【図１８】同側面図
【発明を実施するための形態】
【００１３】
＜実施形態１＞
実施形態１について図１から図１５を参照しつつ説明する。
本実施形態は、図１および図６に示すように、車両に搭載されるバッテリのバッテリ本体Ｂから上方に向けて立ち上がる略円柱状のバッテリポストＰに接続固定されるバッテリ端子１０を例示している。
バッテリ端子１０は、図１および図４に示すように、金属板材を二つに折り曲げて形成された端子本体２０と、端子本体２０に上方から組み付けられる金属製のブラケット（「締付部材」の一例）５０と、端子本体２０に対してブラケット５０を押しつける締結ボルト（「締結部材」の一例）６０および締結ナット（「被締結部材」の一例）６５とを備えて構成されている。
【００１４】
端子本体２０は、図１から図４に示すように、左右方向に幅狭で前後に長い形態とされており、上側に配された上側対向板２１と、上側対向板２１と上下に対向した形態で上側対向板２１の下側に配された下側対向板２２と、上側対向板２１の前端縁と下側対向板２２の前端縁とを上下に繋ぐ一対の繋ぎ板２３とを有している。
一対の繋ぎ板２３は、何れも略矩形平板状をなし、左右方向に横並びに配されている。一対の繋ぎ板２３は、上側対向板２１および下側対向板２２よりも左右方向外側に突出した形態とされ、各繋ぎ板２３の前後両面は平坦な形態とされている。
【００１５】
上側対向板２１は、図１および図４に示すように、前後方向略中央部よりもやや後方寄りの位置においてクランク状に屈曲されており、上側対向板２１においてクランク状に屈曲された部分よりも後側の部分は、前側の部分よりも一段下がった形態の上側端子接続部２４とされている。下側対向板２２は、クランク状に屈曲されることで、その後端部が僅かに一段下がった形態とされており、下側対向板２２において一段下がった部分は、上側端子接続部２４と共にスタッドボルトＳＢを保持する下側端子接続部２５とされている。
【００１６】
上側端子接続部２４には、上下に貫通する貫通孔２４Ａが設けられており、この貫通孔２４ＡにスタッドボルトＳＢの軸部ＳＢ１を挿通させ、上側端子接続部２４と下側端子接続部２５とによりスタッドボルトＳＢの図示しない頭部を上下から挟み込むことでスタッドボルトＳＢが保持されている。なお、電線の端末に接続された図示しない電線側端子にスタッドボルトＳＢの軸部ＳＢ１を挿通し、図示しないナットを締め込むことにより、電線側端子が上側端子接続部２４に電気的に接続されるようになっている。
【００１７】
上側端子接続部２４の左右方向両側縁には、一対の固定片２６が設けられている。これらの固定片２６は、図４に示すように、下側端子接続部２５の両側縁に設けられた一対の係止孔２５Ａにそれぞれ挿入されて下側端子接続部２５と係止し、上側対向板２１と下側対向板２２との間隔が広がらないように開き止めしている。
【００１８】
上側対向板２１においてクランク状に屈曲された部分よりも前側の部分は、図４に示すように、下側対向板２２との間隔が、上側端子接続部２４と下側端子接続部２５との間隔よりも大きくなるように上側端子接続部２４よりも上方に配されている。また、上側対向板２１および下側対向板２２においてクランク状に屈曲された部分よりも前方に位置する部分は、後部がバッテリポストＰに接続固定されるポスト嵌合部２７とされ、前部が隙間Ｓを隔てて左右方向に対向する左右一対の被押圧部２８とされている。
【００１９】
上側対向板２１および下側対向板２２の何れのポスト嵌合部２７も、図１に示すように、板厚方向に貫通する略円形の嵌合孔２９を有しており、これらの嵌合孔２９には、図６に示すように、バッテリポストＰが下方から上下方向に連続して嵌合されるようになっている。各ポスト嵌合部２７の前端部は、図５および図１１に示すように、左右方向に２つに分断され、隙間Ｓを隔てて左右方向に対向した形態とされており、これに伴って嵌合孔２９の前端部分も左右方向に分断された形態となっている。
【００２０】
各ポスト嵌合部２７における嵌合孔２９の周縁部には、図１および図１０に示すように、バッテリポストＰの外周面に沿って配される略環状の接続筒部２７Ａが上方に立ち上がり形成されており、この接続筒部２７Ａの内径寸法は、図５に示すように、バッテリポストＰの外径寸法よりも僅かに大きく設定されている。
【００２１】
左右一対の被押圧部２８は、図１０および図１１に示すように、上下のポスト嵌合部２７の前端部に左右方向に分断された形態でそれぞれ連設されている。上下にそれぞれ配された左右一対の被押圧部２８は、何れもポスト嵌合部２７の間から続く隙間Ｓを隔てて左右方向に対向する形態とされており、左右一対の被押圧部２８は、隙間Ｓを狭くするように互いに近づく方向である左右方向内側に向かって弾性変位可能とされている。
【００２２】
上下にそれぞれ配された左右一対の被押圧部２８のうち、上側に配された一対の上側被押圧部２８Ｕは、上側ポスト嵌合部２７Ｕの前端縁と一対の繋ぎ板２３の上端縁とを前後に繋ぐ平板状の一対の上側平板部３０を有している。
一対の上側平板部３０において互いに近い側の端縁である内側縁３０Ａには、左右方向に円弧状に凹んだ上側逃がし凹部３１がそれぞれ形成されており、これらの上側逃がし凹部３１は、左右方向に互いに向かい合って配されている。左右方向に互いに向かい合う上側逃がし凹部３１によって囲まれた上側領域Ａ１には、図７および図８に示すように、締結ボルト６０がクリアランスを有した状態で挿通可能とされている。
【００２３】
一対の上側平板部３０における互いに遠い側の端縁である外側縁３０Ｂには、図１０に示すように、一対の上側受部３２が設けられている。一対の上側受部３２は、図７および図８に示すように、上側平板部３０から互いに離れる方向に略半円筒状に張り出しつつ下方に向けて延出され、その下端部から真っ直ぐ下方に延出された形態をなしている。
【００２４】
上下にそれぞれ配された左右一対の被押圧部２８のうち、下側に配された一対の下側被押圧部２８Ｌは、図４および図１０に示すように、下側ポスト嵌合部２７Ｌの前端縁と一対の繋ぎ板２３の下端縁とを前後に繋ぐ平板状の一対の下側平板部３３を有している。一対の下側平板部３３における内側縁３３Ａには、図１０および図１１に示すように、左右方向に略矩形状に凹んだ下側逃がし凹部３４がそれぞれ形成されており、これらの下側逃がし凹部３４は、左右方向に互いに向かい合って配されている。左右方向に互いに向かい合う下側逃がし凹部３４によって囲まれた下側領域Ａ２には、図７および図８に示すように、上側逃がし凹部３１と同様に、締結ボルト６０がクリアランスを有した状態で挿通可能とされている。
【００２５】
一対の下側平板部３３における外側縁３３Ｂには、図７に示すように、一対の下側受部３５が設けられている。各下側受部３５は、下側平板部３３から上方に立ち上がった形態をなしており、下側受部３５は、上側受部３２の下端部における幅方向の内側面と面接触するように上側受部３２の内側に配されている。したがって、一対の上側被押圧部２８Ｕが内側に向けて互いに近づく方向に変位すると、図８に示すように、一対の下側被押圧部２８Ｌにおける下側受部３５が上側受部３２によって外側から内側に向けて押圧され、一対の下側被押圧部２８Ｌも一対の上側被押圧部２８Ｕと共に内側に向けて互いに近づく方向に変位するようになっている。
【００２６】
一方、ブラケット５０は、図１から図６に示すように、一対の上側被押圧部２８Ｕに対して上方から組み付けられ、締結ボルト６０と締結ナット６５とによって、一対の上側被押圧部２８Ｕと共に上下から挟み込まれることで、一対の上側被押圧部２８Ｕを内側に向けて互いに近づく方向に押圧するものである。
ブラケット５０は、図２、図７および図８に示すように、端子本体２０を構成する金属板材の板厚寸法の約４倍の板厚寸法の金属板材をプレス加工などすることにより形成されており、図１２から図１５に示すように、左右方向に横長な略矩形板状の基部５１と、基部５１における後側の左右方向両側縁に設けられた左右一対の押圧部５２と、基部５１における前側の左右方向両側縁に設けられた左右一対の嵌合片（「位置ずれ防止部」の一例）５３とを備えて構成されている。
【００２７】
基部５１には、図７および図８に示すように、板厚方向に貫通するボルト挿通孔５１Ａが設けられており、このボルト挿通孔５１Ａが上側領域Ａ１および下側領域Ａ２と上下方向に並ぶように一対の上側被押圧部２８Ｕの上方に配されている。
一対の押圧部５２は、図７、図８および図１３に示すように、基部５１から下方に向かうほど互いに離れる斜め下方向に向けて延出して形成されており、各押圧部５２は左右一対の上側被押圧部２８Ｕにおける上側受部３２の略半円筒状の部分に斜め上から接触した状態となっている。つまり、一対の押圧部５２は、幅方向両側の斜め上方から左右一対の上側受部３２の上端を包囲するように、一対の上側受部３２上に配置されている。
【００２８】
各嵌合片５３は、図１２から図１５に示すように、前後および幅方向両側に平坦な側面を有する前後に長い矩形状の四角柱であって、基部５１から真っ直ぐ下方に延出された形態をなしており、図３から図４に示すように、上側被押圧部２８Ｕに対してブラケット５０を上方から組み付ける際に、端子本体２０に設けられた一対のガイド凹部３６内に上方から嵌合されるようになっている。
【００２９】
一対のガイド凹部３６は、図３から図６に示すように、一対の上側被押圧部２８Ｕにおける上側平板部３０および上側受部３２と、一対の繋ぎ板２３とによって形成されており、上側受部３２の前端面３２Ａと、上側平板部３０の外側縁３０Ｂと、繋ぎ板２３の後面２３Ａとによって囲まれた空間に嵌合片５３が収容されるようになっている。上側受部３２の前端面３２Ａと繋ぎ板２３の後面２３Ａとの間の距離は、嵌合片５３の前後方向の長さ寸法よりも僅かに大きく設定されており、嵌合片５３がガイド凹部３６内に嵌合されると、ガイド凹部３６の前側内面を構成する一対の繋ぎ板２３における後面２３Ａに近接して配されると共に、ガイド凹部３６の後側内面を構成する上側受部３２の前端面３２Ａに近接して配されるようになっている。つまり、嵌合片５３が繋ぎ板２３や上側受部３２に当接もしくは面接触することで、ブラケット５０が前後方向に傾いた不正な姿勢になることを抑制できるようになっている。
【００３０】
締結ボルト６０および締結ナット６５は、図７および図８に示すように、ブラケット５０の基部５１と一対の上側被押圧部２８Ｕとを上下両側から挟み込むことで、一対の上側被押圧部２８Ｕにおける上側受部３２に対してブラケット５０の基部５１を押しつけるものである。
締結ボルト６０は、頭部６２と、頭部６２から延びる軸部６３とを有する一般的な形状とされており、軸部６３が基部５１のボルト挿通孔５１Ａと上側逃がし凹部３１によって囲まれた上側領域Ａ１とに上方から挿通され、頭部６２がブラケット５０の基部５１上に配されることで、ブラケット５０に組み付けられている。
【００３１】
締結ナット６５は、締結孔６６を有する扁平なブロック状をなす四角ナットであって、図４、図７および図８に示すように、一対の繋ぎ板２３と一対の上側平板部３０および一対の下側平板部３３とによって、前および上下の３方向から囲まれ、かつ、締結孔６６が上側領域Ａ１および下側領域Ａ２と上下に並ぶように配置されている。
また、締結ナット６５は、締結孔６６が上側領域Ａ１および下側領域Ａ２と上下に並ぶように配置されると、図４に示すように、締結ナット６５の前側面６５Ａと一対の繋ぎ板２３の後面２３Ａとが面接触し、ブラケット５０に組み付けられた締結ボルト６０における軸部６３の先端が締結ナット６５に対して僅かに螺合されるようになっている。
【００３２】
締結ボルト６０および締結ナット６５によって、基部５１と一対の上側被押圧部２８Ｕとを上下両側から挟み込んで上側受部３２に対してブラケット５０の基部５１を上方から押しつける際には、ブラケット５０に組み付けられた締結ボルト６０を回転させ、軸部６３を締結孔６６に挿入しつつ締結ナット６５に締め込む。
締結ボルト６０の締め込みが進むと、ブラケット５０の基部５１と一対の上側被押圧部２８Ｕとが上下両側から締結ボルト６０および締結ナット６５によって挟み込まれ、一対の上側受部３２が一対の押圧部５２によって幅方向両側から押圧される。すると、図８に示すように、上側受部３２と押圧部５２とが摺動することで一対の上側被押圧部２８Ｕと一対の下側被押圧部２８Ｌとが内側に向けて互いに近づく方向に変位し、これに伴って、ポスト嵌合部２７の前端部も内側に向けて互いに近づく方向に変位すると共に、ポスト嵌合部２７の嵌合孔２９が縮径する。これにより、各ポスト嵌合部２７の接続筒部２７ＡがバッテリポストＰの外周面に密着し、端子本体２０がバッテリポストＰに接続固定されるようになっている。
【００３３】
さて、ブラケット５０における基部５１の前端縁には、図１、図３から図６に示すように、前方に突出する回転防止部５５が設けられ、基部５１の後端縁には、後方に突出する位置ずれ防止部５６が設けられている。
回転防止部５５は、図１２、図１４および図１５に示すように、基部５１の前端縁から基部５１の板厚と同じ板厚寸法で僅かに突出した後、やや幅狭な形態で前方に突出しつつ下方に屈曲された形態とされており、回転防止部５５の前端面は、左右方向に幅広で平坦な当接面５５Ａとされている。
また、回転防止部５５は、図４に示すように、端子本体２０の繋ぎ板２３よりもブラケット５０の板厚寸法分程度前方に突出しており、バッテリ端子１０において最も前方に突出した形態とされている。また、回転防止部５５の基部５１からの突出寸法は、図５および図６に示すように、バッテリ端子１０がバッテリポストＰに組み付けられた時におけるバッテリ本体Ｂの壁部Ｂ１と基部５１との間の前後方向の距離とほぼ同じ寸法に設定されており、バッテリ端子１０がバッテリポストＰに組み付けられた際には、回転防止部５５の当接面５５Ａが、バッテリ本体Ｂの壁部Ｂ１と前後方向に近接かつ対向して配されるようになっている。
【００３４】
位置ずれ防止部５６は、図１４および図１５に示すように、基部５１を挟んで回転防止部５５の後方に配置されており、基部５１の板厚と同じ板厚寸法のまま後方に突出しつつ下方に屈曲された形態とされている。位置ずれ防止部５６の真後ろには、図３および図４に示すように、僅かなクリアランスを有した状態で上側のポスト嵌合部２７における接続筒部２７Ａが配されており、ブラケット５０が僅かに後方に変位すると位置ずれ防止部５６と接続筒部２７Ａの先端部とが前後に当接するようになっている。
【００３５】
本実施形態は、以上のような構成であって、続いて、バッテリ端子１０をバッテリポストＰに接続固定する手順を説明すると共に、その作用および効果について説明する。
まず、図６に示すように、端子本体２０の上側対向板２１および下側対向板２２における各ポスト嵌合部２７の嵌合孔２９に、バッテリポストＰを連続して嵌合させる。ここで、締結ナット６５に対して締結ボルト６０の軸部６３を僅かに螺合させた状態では、図７に示すように、ブラケット５０の一対の押圧部５２が一対の上側被押圧部２８Ｕを押圧することなく、一対の上側被押圧部２８Ｕの上側受部３２に対して上方から接触しただけの状態となっている。
【００３６】
次に、締結ボルト６０を回転させ、締結ナット６５の前側面６５Ａを一対の繋ぎ板２３の後面２３Ａに当接させながら締結ボルト６０を締め込んでいく。ここで、ブラケット５０は、嵌合片５３がガイド凹部３６の繋ぎ板２３や上側受部３２に前後から当接することで正規の姿勢に保持される。これにより、締結ボルト６０の軸部６３が傾かないように支持され、締結ナット６５の前側面６５Ａが繋ぎ板２３の後面２３Ａに接触した状態となることで、締結ナット６５が一対の繋ぎ板２３から離れて回転してしまうことが防がれる。
【００３７】
そして、締結ナット６５に対する締結ボルト６０の締め込みが進むと、図８に示すように、締結ナット６５が上方に引き寄せられ、一対の上側被押圧部２８Ｕの上側平板部３０とブラケット５０の基部５１とが締結ボルト６０の頭部６２と締結ナット６５とにより上下から挟み込まれる。すると、一対の押圧部５２によって一対の上側被押圧部２８Ｕにおける上側受部３２が幅方向両側から押圧され、押圧部５２と上側受部３２とが摺動しつつ、一対の上側受部３２が内側に向けて互いに近づく方向に変位する。
また、一対の下側被押圧部２８Ｌにおける下側受部３５も上側受部３２によって外側から押圧されることで内側に向けて互いに近づく方向に変位する。これにより、各ポスト嵌合部２７の嵌合孔２９が縮径してバッテリポストＰの外周面にポスト嵌合部２７の接続筒部２７Ａが密着し、端子本体２０がバッテリポストＰに接続固定される。
【００３８】
ところで、この締結ボルト６０の締付過程では、締結ボルト６０の回転に伴ってバッテリポストＰを中心にブラケット５０およびブラケット５０が組み付けられた端子本体２０が回転する方向に力が生じる。このため、ポスト嵌合部２７の接続筒部２７ＡがバッテリポストＰに対して密着するまでは、ブラケット５０および端子本体２０が締結ボルト６０の締め付けにつられて回転してしまい、端子本体２０の上側端子接続部２４に接続された電線側端子、さらには電線側端子に接続された電線の引出方向にばらつきが生じてしまうことが懸念される。
【００３９】
ところが、本実施形態によると、ブラケット５０における基部５１の前端縁には、図５および図６に示すように、バッテリ本体Ｂの壁部Ｂ１と前後方向に近接かつ対向して配される当接面５５Ａを有する回転防止部５５が形成されているから、締結ボルト６０の締め付けにつられてブラケット５０がバッテリポストＰを中心に周方向に回転しようとすると、図９に示すように、ブラケット５０が周方向に僅かに変位したところで、回転防止部５５の当接面５５Ａがバッテリ本体Ｂの壁部Ｂ１に当接し、ブラケット５０および端子本体２０の回転が防がれる。これにより、上側端子接続部２４に接続された電線側端子、ひいては電線側端子に接続される電線の引出方向にばらつきが生じることを防ぐことができる。
【００４０】
また、締結ボルト６０の回転に伴って、ブラケット５０が回転する方向に大きな力が生じると、バッテリ本体Ｂの壁部Ｂ１に対して回転防止部５５の当接面５５Ａが押しつけられる力が大きくなることで、ブラケット５０が後方に位置ずれし、結果的にブラケット５０および端子本体２０が回転してしまうことが懸念される。
【００４１】
このような場合においても、本実施形態によると、ブラケット５０が僅かに後方に変位したところで、図９に示すように、基部５１から後方に突出した位置ずれ防止部５６が上側のポスト嵌合部２７における接続筒部２７Ａの前端部に前方から当接すると共に、ブラケット５０の嵌合片５３における後側面が端子本体２０のガイド凹部３６における後側内面（上側受部３２の前端面３２Ａ）とに当接することで、ブラケット５０が後止めされ、端子本体２０に対してブラケット５０が後方に大きく位置ずれすることを防ぐことができる。
つまり、複数箇所においてブラケット５０が後方に位置ずれすることを防ぐことができるから、ブラケット５０および端子本体２０が回転することをより確実に防ぐことができると共に、締結ナット６５が一対の繋ぎ板２３から後方に離れて回転してしまうことが防がれる。
【００４２】
また、本実施形態によると、バッテリ本体Ｂと当接する回転防止部５５は、図６から図８に示すように、端子本体２０に比べて板厚で、かつバッテリポストＰに嵌合される端子本体２０とは別体のブラケット５０に設けられているから、ブラケット５０が破損することを防ぎつつ、バッテリポストＰに接続される端子本体２０の意図しない変形を防ぐことができる。
【００４３】
以上のように、本実施形態によると、ブラケット５０の基部５１における前端縁には、バッテリ本体Ｂの壁部Ｂ１と前後方向に近接かつ対向して配される回転防止部５５が設けられているから、締結ボルト６０の回転につられてブラケット５０がバッテリポストＰを中心に周方向に僅かに変位したところで、回転防止部５５の当接面５５Ａがバッテリ本体Ｂの壁部Ｂ１に当接し、ブラケット５０および端子本体２０の回転を防ぐことができる。これにより、バッテリ端子１０に接続される電線側端子、ひいては電線側端子に接続される電線の引出方向にばらつきが生じることを防ぐことができる。
【００４４】
また、本実施形態によると、回転防止部５５とは反対側の位置である基部５１の後端縁に、ポスト嵌合部２７の接続筒部２７Ａに近接して配される位置ずれ防止部５６が設けられているから、締結ボルト６０の回転に伴ってブラケット５０が回転する方向に大きな力が生じ、バッテリ本体Ｂの壁部Ｂ１に対して回転防止部５５の当接面５５Ａが強く押しつけられるような場合においても、位置ずれ防止部５６が接続筒部２７Ａに前方から当接すると共に、嵌合片５３がガイド凹部３６の後側内面（上側受部３２の前端面３２Ａ）に当接することでブラケット５０が後止めされる。これにより、端子本体２０に対してブラケット５０が後方に大きく位置ずれすることを防ぐことができ、ブラケット５０および端子本体２０が回転することをより確実に防ぐことができる。
【００４５】
＜実施形態２＞
次に、実施形態２について、図１６から図１８を参照して説明する。
実施形態２のブラケット１５０は、実施形態１におけるブラケット５０における回転防止部５５の形状を変更したものであって、実施形態１と共通する構成、作用、および効果については重複するため、その説明を省略する。また、実施形態１と同じ構成については同一の符号を用いるものとする。
【００４６】
実施形態２のブラケット１５０における回転防止部１５５は、図１６から図１８に示すように、基部５１の前端縁から前方に向けて前方に突出しただけの形態とされており、実施形態１の回転防止部５５ように下方に屈曲された形態とは異なっている。また、本実施形態における回転防止部１５５は、前方に向かうほど左右方向の幅寸法がやや狭くなるものの、回転防止部１５５の当接面１５５Ａは、実施形態１に比べて、幅広で、かつ面積が大きくなっている。
すなわち、本実施形態の回転防止部１５５の当接面１５５Ａは、幅広で面積が大きくなっているから、ブラケット５０、ひいては端子本体２０の回り止めをより確実に行うことができるようになっている。
【００４７】
＜他の実施形態＞
本明細書で開示される技術は上記記述及び図面によって説明した実施形態に限定されるものではなく、例えば次のような種々の態様も含まれる。
（１）上記実施形態では、基部５１の後端縁に位置ずれ防止部５６を形成し、ポスト嵌合部２７の接続筒部２７Ａと前後方向に当接する構成とした。しかしながら、これに限らず、一対の押圧部の後面に位置ずれ防止部を形成し、位置ずれ防止部とポスト嵌合部とを前後に当接させる構成としてもよい。
（２）上記実施形態では、上側平板部３０および下側平板部３３との間に締結ナット６５を配し、この締結ナット６５に対して締結ボルト６０を回転させて締め込む構成とした。しかしながら、これに限らず、上側平板部および下側平板部との間に締結ボルトの頭部を配して、頭部から上方に向かって延びる軸部に締結ナットを上方から締め込む構成にしてもよい。
（３）上記実施形態では、上記実施形態では、嵌合片５３を前後に長い矩形状の四角柱に構成した。しかしながら、これに限らず、姿勢保持部を断面正方形状の四角柱に構成してもよい。
【符号の説明】
【００４８】
１０：バッテリ端子
２０：端子本体
２７：ポスト嵌合部
２８：被押圧部
５０：ブラケット（締付部材）
５１：基部
５２：押圧部
５３：嵌合片（位置ずれ防止部）
５５：回転防止部
５６：位置ずれ防止部
６０：締結ボルト（締結部材）
６５：締結ナット（被締結部材）
Ｂ：バッテリ本体
Ｂ１：壁部
Ｐ：バッテリポスト
Ｓ：隙間
【図１】
2015230893.tif 000003
【図２】
2015230893.tif 000004
【図３】
2015230893.tif 000005
【図４】
2015230893.tif 000006
【図５】
2015230893.tif 000007
【図６】
2015230893.tif 000008
【図７】
2015230893.tif 000009
【図８】
2015230893.tif 000010
【図９】
2015230893.tif 000011
【図１０】
2015230893.tif 000012
【図１１】
2015230893.tif 000013
【図１２】
2015230893.tif 000014
【図１３】
2015230893.tif 000015
【図１４】
2015230893.tif 000016
【図１５】
2015230893.tif 000017
【図１６】
2015230893.tif 000018
【図１７】
2015230893.tif 000019
【図１８】
2015230893.tif 000020